(57)【要約】【課題】再生される像が観察されやすいホログラムの製造方法を提供する。【解決手段】製造方法は、少なくとも二つの方向から入射する光の各々によって同一の像を再生し得るホログラムを製造する方法であって、二以上のレーザ光源２１ａ，２１ｂでそれぞれ発生されたレーザ光を、同時に感光材１３に入射させて干渉縞１１ａ，１１ｂを記録する工程を含む。二以上のレーザ光源の各々で発生された各レーザ光は、それぞれ、各レーザ光が再生されるべき像の模型７で反射してなる物体光および物体光とは異なる方向に進む参照光として、感光材に入射する。複数の物体光は互いに同一の側から感光材に入射する。複数の参照光は、互いに異なる方向に進み、互いに同一の側から感光材に入射する。【選択図】図１
2011081209.tif 000002
【特許請求の範囲】
【請求項１】
少なくとも二つの方向から入射する光の各々によって同一の像を再生し得るホログラムの製造方法であって、
レーザ光源で発生されたレーザ光を、感光材に入射させて、前記感光材に干渉縞を記録する工程を含み、
前記干渉縞を記録する工程において、
前記レーザ光源で発生された前記レーザ光は、前記レーザ光が再生されるべき像の模型で反射してなる物体光および前記物体光とは異なる方向に進む複数の参照光として、複数の方向から前記感光材に入射し、
前記感光材へ入射する複数の参照光は、互いに異なる方向に進み、互いに同一の側から前記感光材に入射する、
ことを特徴とするホログラムの製造方法。
【請求項２】
前記干渉縞を記録する工程において、二以上のレーザ光源でそれぞれ発生されたレーザ光を、同時に感光材に入射させて、前記感光材に干渉縞が記録され、
前記二以上のレーザ光源の各々で発生された各レーザ光は、それぞれ、各レーザ光が再生されるべき像の模型で反射してなる物体光および前記物体光とは異なる方向に進む参照光として、複数の方向から前記感光材に入射し、
前記感光材へ入射する複数の物体光は、互いに同一の側から前記感光材に入射する、
ことを特徴とする請求項１に記載のホログラムの製造方法。
【請求項３】
各レーザ光は、参照光として前記感光材へ入射し、且つ、前記感光材を透過した後に前記模型で反射されて、物体光として、前記感光材へ入射し、
同一のレーザ光からなる前記物体光および前記参照光は、互いに異なる側から前記感光材に入射する、
ことを特徴とする請求項２に記載のホログラムの製造方法。
【請求項４】
前記感光材へ入射する複数の参照光は、前記少なくとも二つの方向のいずれかの方向に進み、前記感光材に入射する、
ことを特徴とする請求項２または３に記載のホログラムの製造方法。
【請求項５】
前記感光材へ入射する複数の物体光は、互いに同一の方向に沿って進み、前記感光材へ入射する、
ことを特徴とする請求項４に記載のホログラムの製造方法。
【請求項６】
前記感光材へ入射する複数の物体光は、互いに異なる方向に沿って進み、前記感光材へ入射する、
ことを特徴とする請求項４に記載のホログラムの製造方法。
【請求項７】
前記二以上のレーザ光源でそれぞれ発生されたレーザ光の波長は互いに同一である、
ことを特徴とする請求項２〜６のいずれか一項に記載のホログラムの製造方法。
【請求項８】
前記干渉縞を記録する工程において、前記二以上のレーザ光源のうちの同一のレーザ光源から発生されたレーザ光からなる前記物体光および前記参照光が干渉してなる干渉縞のみが記録される、
ことを特徴とする請求項２〜７のいずれか一項に記載のホログラムの製造方法。
【請求項９】
前記二以上のレーザ光源のうちの一のレーザ光源から発生された一のレーザ光からなる参照光は、前記感光材への法線方向に対して傾斜した方向から前記感光材へ入射し、
前記二以上のレーザ光源のうちの前記一のレーザ光源とは異なる他のレーザ光源から発生された他のレーザ光からなる参照光は、前記法線方向と前記一のレーザ光の入射方向とを含む仮想面上において前記法線方向に対して前記一のレーザ光の前記入射方向とは逆の側へ傾斜した方向から前記感光材へ入射する、
ことを特徴とする請求項２〜８のいずれか一項に記載のホログラムの製造方法。
【請求項１０】
前記二以上のレーザ光源のうちの一のレーザ光源から発生された一のレーザ光からなる参照光は、前記感光材への法線方向に対して傾斜した方向から前記感光材へ入射し、
前記二以上のレーザ光源のうちの前記一のレーザ光源とは異なる他のレーザ光源から発生された他のレーザ光からなる参照光は、前記法線方向と前記一のレーザ光の入射方向とを含む仮想面上で、前記法線方向を中心として、前記一のレーザ光の前記入射方向と対称的な方向から前記感光材へ入射する、
ことを特徴とする請求項２〜９のいずれか一項に記載のホログラムの製造方法。
【請求項１１】
互いに異なる方向に沿って進み互いに同一の面の側からホログラムに入射する光の各々に対応した複数の干渉縞を備え、
前記複数の干渉縞は、各々が対応する方向からの入射光を回折することによって、ホログラムの一方の面の側から観察される同一の像を再生する、
ことを特徴とするホログラム。
【請求項１２】
前記光が入射する面への法線方向に対して一側に傾斜した方向から入射する光が回折され、並びに、前記光が入射する面への法線方向に対して前記一側とは反対の他側に傾斜した方向から入射する光が回折され、それぞれ、同一の像が再生される、
ことを特徴とする請求項１１に記載のホログラム。
【請求項１３】
前記ホログラムの前記一方の面の側から観察される像が再生されている状態から、前記一方の面への法線方向を中心として前記ホログラムを回転させた場合、それまで観察されていた像が、前記ホログラムとともに前記一方の面への法線方向を中心として回転した状態で、再生される、
ことを特徴とする請求項１１または１２に記載のホログラム。
【請求項１４】
前記複数の干渉縞は、各々が対応する方向からの入射光を回折することによって、互いに同一の方向から観察されるように前記同一の像を再生する、
ことを特徴とする請求項１１〜１３のいずれか一項に記載のホログラム。
【請求項１５】
前記複数の干渉縞は、各々が対応する方向からの入射光を回折することによって、互いに異なる方向から観察されるように前記同一の像を再生する、
ことを特徴とする請求項１１〜１３のいずれか一項に記載のホログラム。
【請求項１６】
前記複数の干渉縞は、各々が対応する方向からの入射光を回折することによって、ホログラムを基準とした同一の位置に、同一の像を再生する、
ことを特徴とする請求項１１〜１５のいずれか一項に記載のホログラム。
【請求項１７】
前記干渉縞は、二以上のレーザ光源でそれぞれ発生されたレーザ光を、それぞれ各レーザ光が再生されるべき前記像の模型で反射してなる物体光および前記物体光とは異なる方向に進む参照光として、同時に感光材に入射させることによって記録されており、
前記干渉縞は、前記二以上のレーザ光源のうちの同一のレーザ光源から発生されたレーザ光からなる前記物体光および前記参照光が干渉してなる干渉縞のみを含んでいる、
ことを特徴とする請求項１１〜１６のいずれか一項に記載のホログラム。
【請求項１８】
前記干渉縞は、二以上のレーザ光源でそれぞれ発生されたレーザ光を、それぞれ各レーザ光が再生されるべき前記像の模型で反射してなる物体光および前記物体光とは異なる方向に進む参照光として、同時に感光材に入射させることによって記録されており、
前記干渉縞は、前記二以上のレーザ光源の数と同数の干渉縞のみを含んでいる、
ことを特徴とする請求項１１〜１７のいずれか一項に記載のホログラム。
【請求項１９】
請求項１１〜１８のいずれか一項に記載のホログラムを貼り付けられていることを特徴とする物品。
【発明の詳細な説明】
【技術分野】
【０００１】
本発明は、少なくとも二つの異なる方向から入射する光の各々によって同一の像を再生し得るホログラム、及び、このホログラムの製造方法に関する。
【背景技術】
【０００２】
従来、三次元像を再生し得る体積型ホログラムが、意匠性の向上や、真正性を標示することを目的にして、種々の分野において使用されている（例えば、特許文献１）。体積型ホログラムは、再生されるべき像に対応した形体を有した模型で反射したレーザ光からなる物体光と、物体光と同一のレーザ光からなる参照光と、を異なる方向から感光材（乾板）に入射させて、物体光と参照光との干渉縞を感光材に記録することにより、作製される。
【０００３】
体積型ホログラムの波長選択性は、とりわけ、反射型の体積型ホログラムの波長選択性は高い。そして、干渉縞は、記録時における参照光の入射方向と同一の方向に進み且つ記録時における参照光と同一波長を有する再生照明光を高効率で回折し、これにより、記録時における物体光の入射方向と同一の方向に像が再生されるようになる。すなわち、特定波長を有した再生照明光が特定の一方向からホログラム（ホログラムラベル）に入射した際に、ホログラムによって再生される像は、所定の範囲のみから観察され得る。
【０００４】
したがって、体積型ホログラムによって再生される像は、所定の観察状態が整った場合にのみ観察され得る。このため、体積型ホログラムによって本来再生されるべき像が、観察状態が適切でなかったため、見落とされてしまう可能性もある。
【０００５】
とりわけ、ホログラム自体はフィルム状の形体を取ることが多いことから、その表裏および上下の少なくとも一方が適切な状態から反転した状態で保持されることも、頻繁に生じ得る。そして、ホログラムの表裏および上下の一方だけが反転している場合、
ホログラムに対する照明の位置および観察者の目の位置が適切であったとしても、像は再生され得ず、本来観察されるべき像が見落とされてしまうことになる。
【先行技術文献】
【特許文献】
【０００６】
【特許文献１】特開平３−１６８７９０号公報
【発明の概要】
【発明が解決しようとする課題】
【０００７】
本発明は、このような点を考慮してなされたものであって、再生される像が観察されやすいホログラム、および、その製造方法を提供することを目的とする。
【０００８】
なお、像が見落とされるといった不具合に対処するためには、ホログラムが、互いに異なる方向から当該ホログラムに入射する光の各々に対応して記録された複数の干渉縞を有していることが、有効であると、本件発明者は考えた。しかしながら、その一方で、このようなホログラムを作製するためには、少なくとも複数の参照光を感光材に入射させる必要がある。この場合、複数の参照光が干渉しあって、不要な干渉縞が記録されてしまうことが予想される。ホログラムが不要な干渉縞を含む場合、再生照明光が不要な方向に回折され、その一方で、意図した方向への回折効率が低下してしまう。すなわち、意図した方向において、再生される像を明るく観察することができず、やはり、像が観察されにくくなる。このため、像が見落とされるといった不具合が生じ得り、ホログラムに期待された機能、すなわち、意匠性の向上や、真贋判定指標の提供といった機能が十分に発揮され得なくなる。
【０００９】
また、物体光および参照光を用いた感光材の露光を、干渉縞単位で順次行っていく方法が、特開平６−３０９６９１号公報に開示されている。しかしながら、順次露光により同一の感光材に複数の干渉縞を順次形成していく場合、単に作製工程数が増加し、これにともなってホログラムの製造コストが増加してしまう、といった不具合が生じる。また、このような不具合だけでなく、回折効率を調節するための感光材の調整や露光条件の最適化が著しく困難となってしまう。
【００１０】
したがって、本発明によって、同時露光で複数の必要な干渉縞のみを形成することができれば、生産効率、これにともなって製造コスト、さらには、光学特性の面において、非常に好ましい。
【課題を解決するための手段】
【００１１】
本発明の一態様によるホログラムの製造方法は、
少なくとも二つの方向から入射する光の各々によって同一の像を再生し得るホログラムの製造方法であって、
レーザ光源で発生されたレーザ光を、感光材に入射させて、前記感光材に干渉縞を記録する工程を含み、
前記干渉縞を記録する工程において、
前記レーザ光源で発生された前記レーザ光は、前記レーザ光が再生されるべき像の模型で反射してなる物体光および前記物体光とは異なる方向に進む複数の参照光として、複数の方向から前記感光材に入射し、
前記感光材へ入射する複数の参照光は、互いに異なる方向に進み、互いに同一の側から前記感光材に入射する、ことを特徴とする。
【００１２】
本発明の一態様によるホログラムの製造方法の前記干渉縞を記録する工程において、二以上のレーザ光源でそれぞれ発生されたレーザ光を、同時に感光材に入射させて、前記感光材に干渉縞が記録され、前記二以上のレーザ光源の各々で発生された各レーザ光は、それぞれ、各レーザ光が再生されるべき像の模型で反射してなる物体光および前記物体光とは異なる方向に進む参照光として、複数の方向から前記感光材に入射し、前記感光材へ入射する複数の物体光は、互いに同一の側から前記感光材に入射するようにしてもよい。
【００１３】
また、本発明の一態様によるホログラムの製造方法において、前記二以上のレーザ光源のうちの少なくとも一つから発生されるレーザ光は、参照光として前記感光材へ入射し、且つ、前記感光材を透過した後に前記模型で反射されて、物体光として、前記感光材へ入射してもよい。
【００１４】
さらに、本発明の一態様によるホログラムの製造方法において、各レーザ光は、参照光として前記感光材へ入射し、且つ、前記感光材を透過した後に前記模型で反射されて、物体光として、前記感光材へ入射し、同一のレーザ光からなる前記物体光および前記参照光は、互いに異なる側から前記感光材に入射してもよい。
【００１５】
さらに、本発明の一態様によるホログラムの製造方法において、前記感光材へ入射する複数の参照光は、前記少なくとも二つの方向のいずれかの方向に進み、前記感光材に入射してもよい。このような本発明の一態様によるホログラムの製造方法において、前記感光材へ入射する複数の物体光は、互いに同一の方向に沿って進み、前記感光材へ入射してもよい。あるいは、このような本発明の一態様によるホログラムの製造方法において、前記感光材へ入射する複数の物体光は、互いに異なる方向に沿って進み、前記感光材へ入射してもよい。
【００１６】
さらに、本発明の一態様によるホログラムの製造方法において、前記二以上のレーザ光源でそれぞれ発生されたレーザ光の波長は互いに同一であってもよい。
【００１７】
さらに、本発明の一態様によるホログラムの製造方法の前記干渉縞を記録する工程において、前記二以上のレーザ光源のうちの同一のレーザ光源から発生されたレーザ光からなる前記物体光および前記参照光が干渉してなる干渉縞のみが記録されていてもよい。
【００１８】
さらに、本発明の一態様によるホログラムの製造方法において、前記二以上のレーザ光源のうちの一のレーザ光源から発生された一のレーザ光からなる参照光は、前記感光材への法線方向に対して傾斜した方向から前記感光材へ入射し、前記二以上のレーザ光源のうちの前記一のレーザ光源とは異なる他のレーザ光源から発生された他のレーザ光からなる参照光は、前記法線方向と前記一のレーザ光の入射方向とを含む仮想面上において前記法線方向に対して前記一のレーザ光の前記入射方向とは逆の側へ傾斜した方向から前記感光材へ入射してもよい。
【００１９】
さらに、本発明の一態様によるホログラムの製造方法において、前記二以上のレーザ光源のうちの一のレーザ光源から発生された一のレーザ光からなる参照光は、前記感光材への法線方向に対して傾斜した方向から前記感光材へ入射し、前記二以上のレーザ光源のうちの前記一のレーザ光源とは異なる他のレーザ光源から発生された他のレーザ光からなる参照光は、前記法線方向と前記一のレーザ光の入射方向とを含む仮想面上で、前記法線方向を中心として、前記一のレーザ光の前記入射方向と対称的な方向から前記感光材へ入射してもよい。
【００２０】
さらに、本発明の一態様によるホログラムの製造方法の前記干渉縞を記録する工程において、前記二以上のレーザ光源の各々で発生された各レーザ光が、それぞれ、複数の光に分離され、各レーザ光を分離してなる複数の光のうちの一の光が、前記参照光として、前記感光材に入射し、各レーザ光を分離してなる複数の光のうちの他の光が、前記物体光として、前記模型で反射した後に前記感光材へ入射してもよい。このような本発明の一態様によるホログラムの製造方法において、前記感光材へ入射する複数の参照光は、前記少なくとも二つの方向のいずれかの方向に進み、前記感光材へ入射し、前記感光材へ入射する複数の物体光は、互いに同一の方向に沿って進み、前記感光材へ入射してもよい。
【００２１】
本発明の一態様によるホログラムは、互いに異なる方向に沿って進み互いに同一の面の側からホログラムに入射する光の各々に対応した複数の干渉縞を備え、前記複数の干渉縞は、各々が対応する方向からの入射光を回折することによって、ホログラムの一方の面の側から観察される同一の像を再生する、ことを特徴とする。
【００２２】
本発明の一態様によるホログラムにおいて、前記光が入射する面への法線方向に対して一側に傾斜した方向から入射する光が回折され、並びに、前記光が入射する面への法線方向に対して前記一側とは反対の他側に傾斜した方向から入射する光が回折され、それぞれ、同一の像が再生されてもよい。
【００２３】
また、本発明の一態様によるホログラムにおいて、前記ホログラムの前記一方の面の側から観察される前記像が再生されている状態から、前記一方の面への法線方向を中心として前記ホログラムを回転させた場合、それまで観察されていた像が、前記ホログラムとともに前記一方の面への法線方向を中心として回転した状態で、再生されてもよい。このような本発明の一態様によるホログラムにおいて、前記ホログラムの回転を開始すると、それまで再生されていた像がいったん観察され得なくなってもよい。
【００２４】
さらに、本発明の一態様によるホログラムにおいて、前記複数の干渉縞は、各々が対応する方向からの入射光を回折することによって、互いに同一の方向から観察されるように前記同一の像を再生してもよい。あるいは、本発明の一態様によるホログラムにおいて、前記複数の干渉縞は、各々が対応する方向からの入射光を回折することによって、互いに異なる方向から観察されるように前記同一の像を再生してもよい。
【００２５】
さらに、本発明の一態様によるホログラムにおいて、前記複数の干渉縞は、各々が対応する方向からの入射光を回折することによって、ホログラムを基準とした同一の位置に、同一の像を再生してもよい。
【００２６】
さらに、本発明の一態様によるホログラムにおいて、前記干渉縞は、二以上のレーザ光源でそれぞれ発生されたレーザ光を、それぞれ各レーザ光が再生されるべき前記像の模型で反射してなる物体光および前記物体光とは異なる方向に進む参照光として、同時に感光材に入射させることによって記録されており、前記干渉縞は、前記二以上のレーザ光源のうちの同一のレーザ光源から発生されたレーザ光からなる前記物体光および前記参照光が干渉してなる干渉縞のみを含むようにしてもよい。
【００２７】
さらに、本発明の一態様によるホログラムにおいて、前記干渉縞は、二以上のレーザ光源でそれぞれ発生されたレーザ光を、それぞれ各レーザ光が再生されるべき前記像の模型で反射してなる物体光および前記物体光とは異なる方向に進む参照光として、同時に感光材に入射させることによって記録されており、前記干渉縞は、前記二以上のレーザ光源の数と同数の干渉縞のみを含むようにしてもよい。
【００２８】
本発明の一態様による物品は、上述した本発明の一態様によるホログラムのいずれかを貼り付けられていることを特徴とする。
【発明の効果】
【００２９】
本発明によれば、互いに異なる方向に沿って進み互いに同一の面の側からホログラムに入射する複数の光の各々によって、同一の像が再生されるようになるホログラムが得られる。このホログラムにおいて、各光によって再生される像は、ホログラムの一方の面の側から観察されるようになる。したがって、ホログラムによって再生される像が非常に観察されやすくなる。
【図面の簡単な説明】
【００３０】
【図１】図１は、本発明の一実施の形態におけるホログラムを示す図である。
【図２】図２は、図１のホログラムの光学的作用を説明するための図である。
【図３】図３は、図２に対応する図であって、図１のホログラムの図２とは別の光学的作用を説明するための図である。
【図４】図４は、図２の条件で観察される像を説明するために図であって、ホログラムを示す平面図である。
【図５】図５は、図３の条件で観察される像を説明するために図であって、ホログラムを示す平面図である。
【図６】図６は、図２および図３に対応する図であって、図１のホログラムの図２および図３とは別の光学的作用を説明するための図である。
【図７】図７は、図２、図３および図６に対応する図であって、図１のホログラムの図２、図３および図６とは別の光学的作用を説明するための図である。
【図８】図８は、図１〜図７のホログラムの製造方法を説明するための図である。
【図９】図９は、図１〜図７のホログラムの製造方法および製造に用いられる光学系を説明するための図である。
【図１０】図１０は、二つのレーザ光源から発生されるレーザ光の干渉の有無を調査した光学系を示す図である。
【図１１】図１１は、マッハツェンダー干渉法で干渉の有無を調査した光学系を示す図である。
【図１２】図１２は、図１０の光学系でスクリーンに投影された光の像を示す図である。
【図１３】図１３は、図１１の光学系でスクリーンに投影された光の像を示す図である。
【発明を実施するための形態】
【００３１】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００３２】
図１〜図９は、本発明の一実施の形態におけるホログラムおよびホログラムの製造方法を説明するための図である。このうち、図１〜図７は、主に、ホログラムおよびその光学的作用を説明するための図であって、図８および図９は、主に、ホログラムの製造方法を説明するための図である。
【００３３】
図１〜図９に示すように、以下に説明するホログラム１０は、少なくとも二つの方向から入射する光の各々によって同一の像５を立体的に再生し得る体積型ホログラム、さらに具体的には、反射型の体積型ホログラムである。このようなホログラム１０は、物品の意匠性を向上させることや、物品の真正性を標示すること等を目的として、物品、とりわけ、包装材料、カード、証明書、有価証券、商品券等に貼り付けられて、使用される。
【００３４】
図示する例において、ホログラム１０は、一般的にそうであるように、第１の面１０ａおよび第２の面１０ｂを有したフィルム状の部材として構成されている。ホログラムの平面形状は、円形状、楕円形状、多角形形状等の種々の形状が採用され得るが、図示する例において、ホログラム１０は、四角形状の平面形状を有している。そして、図１〜図９において、ホログラム１０の第１の面１０ａ（ホログラム１０をなすようになる感光材１３の第１面１３ａ）の四隅の各々には、二種類の印ＰＭ１，ＰＭ２のいずれかが設けられている。この印ＰＭ１，ＰＭ２は、専ら以下の説明において、ホログラム１０の表裏および上下の関係を理解する上での便宜を考慮し、付したものである。そして、この印ＰＭ１，ＰＭ２は、以下に説明するホログラム１０が、その作用効果を果たす上で必要とはならない。
【００３５】
図１に示すように、ホログラム１０には、複数の干渉縞１１ａ，１１ｂが記録されている。複数の干渉縞１１ａ，１１ｂは、互いに異なる方向に沿って進み互いに同一の面の側からホログラム１０に入射する光Ｌ１１，Ｌ１３の各々に対応するように、記録されている。具体的には、複数の干渉縞１１ａ，１１ｂは、互いに異なる方向に沿って進み互いに同一の面の側からホログラム１０に入射する光Ｌ１１，Ｌ１３の各々によって、そのブラッグ回折条件が満たされるように、記録されている。そして、複数の干渉縞１１ａ，１１ｂは、各々が対応する方向ｄ１，ｄ２からの入射光Ｌ１１，Ｌ１３を回折することにより、同一の像５を、ホログラム１０の一方の面の側へ再生するようになる。
【００３６】
なお、本明細書において、干渉縞の数とは、概ね平行に延びる複数の筋からなる筋群の数のことであり、干渉縞に含まれる筋の数を指すものではない。
【００３７】
本実施の形態おいては、ホログラム１０が、第１干渉縞１１ａおよび第２干渉縞１１ｂの二つの干渉縞を有している。第１干渉縞１１ａおよび第２干渉縞１１ｂは、それぞれ、ブラッグの回折条件を満たす再生照明光を高い回折効率で回折する。回折された光の各々は、再生光として、回折された方向に互いに同一の像５を結像するようになる。
【００３８】
具体的には、ある特定の波長を有した光（再生照明光）Ｌ１１が、第１方向ｄ１に沿って進み第１面１０ａの側からホログラム１０に入射した場合に、第１干渉縞１１ａから高回折効率で回折作用を及ぼされる。この結果、当該光Ｌ１１は、ホログラム１０で反射される。ホログラム１０で反射された光（再生光）Ｌ１２は像５を結像し、観察者は、反射（回折）された方向からこの像５を観察することができる。同様に、ある特定の波長を有した光（再生照明光）Ｌ１３が、第２方向ｄ２に沿って進み第１面１０ａの側からホログラム１０に入射した場合に、第２干渉縞１１ｂから高回折効率で回折作用を及ぼされ、この結果、この光Ｌ１３はホログラム１０で反射される。反射された光（再生光）Ｌ１４は、第１干渉縞１１ａでの回折光（再生光）Ｌ１２によって再生される像５と同一の像５、例えば図１に点線で示すように、ホログラム１０の表面から浮かび上がった位置に球の像を結像し、観察者は、回折方向からこの像５を観察することができる。
【００３９】
本実施の形態において、第１干渉縞１１ａのブラッグ回折条件を満たす第１方向ｄ１からの再生照明光Ｌ１１の波長は、第２干渉縞１１ｂのブラッグ回折条件を満たす第２方向ｄ２からの再生照明光Ｌ１３の波長と同一となっている。したがって、第１干渉縞１１ａで回折された再生照明光Ｌ１１からなる再生光Ｌ１２によって結像される像５は、第２干渉縞１１ｂで回折された再生照明光Ｌ１３からなる再生光Ｌ１４によって結像される像５と、同じ色で観察される。
【００４０】
また、後述するように、第１干渉縞１１ａおよび第２干渉縞１１ｂは、同一の模型７で反射した反射光からなる物体光を用いて、ホログラム１０をなす感光材１３に同時に記録されている。この場合、第１干渉縞１１ａによって再生される像５のホログラム１０に対する相対位置（例えば、図１に点線で示す、球のホログラム１０に対する位置）は、第２干渉縞１１ｂによって再生される像５のホログラム１０に対する相対位置１０と同一となる。
【００４１】
さらに、図１に示すように、第１干渉縞１１ａで回折された再生照明光Ｌ１１からなる再生光Ｌ１２は第３方向ｄ３に沿って進むようになり、同様に、第２干渉縞１１ｂで回折された再生照明光Ｌ１３からなる再生光Ｌ１４も第３方向ｄ３に進むようになる。したがって、二つの干渉縞１１ａ，１１ｂは、ブラッグ回折条件を満たす方向からそれぞれ入射する特定波長の再生照明光Ｌ１１，Ｌ１３を、それぞれ回折することによって、互いに同一の方向に沿って同一の側へ向けて同一の像５を同一の色で再生するようになる。
【００４２】
また、図１に示すように、第１および第２の干渉縞１１ａ，１１ｂで回折されてなる各再生光Ｌ１２，Ｌ１４の進行方向ｄ３は、ホログラム１０の第１面１０ａへの法線方向を中心としており、第１および第２の干渉縞１１ａ，１１ｂで回折される二つの特定波長の再生照明光Ｌ１１，Ｌ１３の進行方向ｄ１，ｄ２の間にある。つまり、ホログラム１０への入射面への法線方向に対して一側に傾斜した方向ｄ１から入射する再生照明光Ｌ１１が第１干渉縞１１ａで回折され、並びに、ホログラム１０への入射面への法線方向に対して前記一側とは反対の他側に傾斜した方向ｄ２から入射する再生照明光Ｌ１３が第２干渉縞１１ｂで回折され、それぞれ前記法線方向ｄ３に像５が再生される。加えて、ホログラム１０への入射面への法線方向に対する第１方向ｄ１の傾斜角度は、ホログラム１０への入射面への法線方向に対する第２方向ｄ２の傾斜角度と同一となっている。
【００４３】
ここで、ホログラムが実際に使用に供される場合における作用の一例を、主として、図２〜図７を参照しながら、説明する。
【００４４】
図２に示すように、照明９の下でホログラム１０を観察する場合、照明９からの光Ｌ２１が第１方向ｄ１に沿ってホログラム１０の第１面１０ａに入射すると、当該光Ｌ２１は、再生照明光として、ホログラム１０の第１干渉縞１１ａによって高い回折効率で回折される。なお、照明９からの光が白色光である場合には、照明９からの光のうちの、第１方向ｄ１から入射することによって第１干渉縞１１ａのブラッグ回折条件を満たす特定波長の光Ｌ２１が、高い回折効率で回折されるようになる。そして、再生照明光Ｌ２１がホログラム１０で反射されてなる再生光Ｌ２２が、ホログラム１０の第１面１０ａの側から第３方向ｄ３に沿って進むようになる。この結果、第３方向ｄ３から立体的な像、例えば球体を観察することができる。このように像５を再生することにより、ホログラム１０が優れた意匠性を発揮するようになり、また、この像５の存在を確認することによって、ホログラム１０およびホログラム１０が貼付された物品が真正であることを判断することができる。
【００４５】
ところで、ホログラムは、通常、透明なフィルム状の形体をとっている。また、本説明中における理解のしやすさの便宜より付されている印ＰＭ１，ＰＭ２は、ほとんどの場合、実際に流通しているホログラムには付されていない。したがって、ホログラムの取り扱い中に、ホログラムの表裏や上下を正確に把握することができない。とりわけ、ホログラムが物品等に貼り付けられていれば、ホログラムの表裏を取り違えてしまうといった不具合は、多くの場合、回避され得るが、ホログラムの上下を取り違えてしまう可能性は依然として残る。そして、ホログラムの表裏を維持しながらホログラムを反転させてしまった場合、本来ならば、ホログラム内に記録された干渉縞によって回折されるべき光が回折されず、像が再生されなくなってしまう。この結果、ホログラムは、予定された機能、意匠性を向上させる機能や、真正性を標示する機能等を発揮することができない。とりわけ、ホログラムが真正性を標示する真正性標示体として用いられる場合には、本来ならば真正品であると判定されるべき物品が、像５が観察されないために、偽造品と判定されてしまう可能性すらある。
【００４６】
しかしながら、本実施の形態においては、ホログラム１０は、互いに異なる方向ｄ１，ｄ２に沿って進み互いに同一の面１０ａの側からホログラム１０に入射する光の各々に対応して記録された複数の干渉縞１１ａ，１１ｂを備えている。そして、複数の干渉縞１１ａ，１１ｂは、ホログラム１０の表面への法線方向を挟んで対称的な二つの方向ｄ１，ｄ２から入射する特定波長の入射光を、それぞれ、高い回折効率で回折するようになっている。
【００４７】
したがって、照明９からの光Ｌ２１が第１干渉縞１１ａによって第３方向ｄ３に高い回折効率で回折されている状態（図２に示された状態）から、ホログラム１０の表裏をひっくり返すことなくホログラム１０の上下反転させてしまった場合には、図３に示すように、照明９からの光Ｌ３１が第２干渉縞１１ｂによって第３方向ｄ３に高い回折効率で回折されるようになる。そして、第３方向ｄ３からホログラム１０を観察すると、同一の立体的な像５が観察されるようになる。この結果、像５が見落とされてしまうことを効果的に抑制することができる。したがって、ホログラム１０に期待された機能、例えば、意匠性を向上させる機能や、ホログラム１０が貼付された物品の真正性を標示する機能を、有効に発揮することができる。
【００４８】
ところで、後述するように、第１干渉縞１１ａおよび第２干渉縞１１ｂは、同一の模型７で反射した反射光からなる物体光を用いて、同時に記録されている。このことに起因して、図３の状態では、図２の状態で観察された像５が、ホログラム１０の上下反転にともない、上下反転して観察されるようになる。例えば、球体の表面に目５ａと口５ｂとを含む顔が描かれた像５がホログラム１０によって再生される場合、図２の観察状態において、図４に示すように目５ａが上側で口５ｂが下側となった正常な姿勢で顔が観察されると、図３の観察状態では、図５に示すように、目５ａが下側で口５ｂが上側となった逆さまの顔が観察されるようになる。このように、ホログラム１０を基準とすると、再生される像５の目５ａは、常に、口５ｂよりもホログラム１０の一方の印ＰＭ１の側に配置され、再生される像５の口５ｂは、常に、目５ａよりもホログラム１０の他方の印ＰＭ２の側に配置されるようになる。すなわち、第１干渉縞１１ａおよび第２干渉縞１１ｂによって再生される像５は、像５の絵柄およびホログラム１０を基準とした像５の空間的な配置だけでなく、ホログラム１０を基準とした像５の向きも互いに同一となる。
【００４９】
したがって、ホログラム１０の一方の面の側に像５が再生されている状態から、一方の面への法線方向を中心としてホログラム１０を半回転させた場合、それまでに観察されていた像５が、ホログラム１０とともに一方の面への法線方向を中心として半回転した状態で、再生されるようになる。この際、第１干渉縞１１ａのブラッグ回折条件が満たされるのは、回転を開始する前の状態と半回転（１８０°回転）した後の状態とのいずれか一方の状態であり、第２干渉縞１１ｂのブラッグ回折条件が満たされるのは、回転を開始する前の状態と半回転（１８０°回転）した後の状態とのいずれか他方の状態である。したがって、ホログラム１０の一方の面の側に像５が再生されている状態から回転を開始すると、それまで再生されていた像５がいったん観察され得なくなり、ホログラム１０の回転が終了すると、像５も回転した状態で再び観察されるようになる。
【００５０】
このように、ホログラム１０の二つの干渉縞１１ａ，１１ｂを利用した像５の再生態様が複雑であり、且つ、極めて意匠性に富んでいる。また、ホログラム１０の偽造も困難となることから、ホログラム１０は真正性を標示する標示体として極めて有効に機能する。
【００５１】
なお、ホログラム１０の表裏を一定に保ちながら、上下を反転させる或いはホログラム１０への法線方向を中心として回転させる場合における、像の再生態様について説明してきたが、本実施の形態のホログラム１０によれば、ホログラム１０の表裏を反転させた場合にも、像５が観察されるようになる。
【００５２】
具体的には、図６には、図２に示された状態から、ホログラム１０の表裏をひっくり返すとともに、ホログラム１０の上下を反転させた状態が、示されている。図６に示す場合には、照明９からの光Ｌ６１は、図２の状態において照明９からホログラム１０へ入射する光Ｌ２１に対し、共役な光となる。したがって、照明９からの光Ｌ６１は、再生照明光として、第１干渉縞１１ａで高い回折効率で回折される。そして、回折された再生照明光Ｌ６１からなる再生光Ｌ６２は、第３方向ｄ３に沿って進むようになる。この結果、図４に示すような像５が、他方の面１０ｂの側から第３方向に沿って、観察されるようになる。
【００５３】
また、図７には、図２に示された状態から、ホログラム１０の上下を維持しながら、ホログラム１０の表裏をひっくり返した状態が、示されている。図７に示す場合には、照明９からの光Ｌ７１は、図３の状態において照明９からホログラム１０へ入射する光Ｌ３１に対し、共役な光となる。したがって、照明９からの光Ｌ７１は、再生照明光として、第２干渉縞１１ｂで高い回折効率で回折される。そして、回折された再生照明光Ｌ７１からなる再生光Ｌ７２は、第３方向ｄ３に沿って進むようになる。この結果、図５に示すような像５が、他方の面の側１０ｂから第３方向に沿って、観察されるようになる。
【００５４】
次に、主として図８および図９を参照しながら、以上のようなホログラム１０を製造する方法の一例について説明する。以下に説明する方法では、複数のレーザ光源２１ａ，２１ｂを含んだ光学系（露光装置）２０を用い、反射型の体積型ホログラムからなるホログラム１０が作製される。
【００５５】
また、以下の例では、デニシューク法により、ホログラム１０をなすようになる感光材（ホログラム乾板）１３を露光して、感光材１３に干渉縞１１ａ，１１ｂを記録する。すなわち、以下の例では、参照光と分離してレーザ光から取り出された物体照明光を利用するのではなく、感光材１３を透過した参照光を物体照明光として利用して、感光材１３を露光する。
【００５６】
なお、図８および図９において、ホログラム１０をなすようになる感光材１３にも、印ＰＭ１，ＰＭ２を付してある。図８および図９における印ＰＭ１，ＰＭ２は、図１〜図７における印ＰＭ１，ＰＭ２と対応する位置に設けられており、専ら、感光材１３の表裏および上下を上述したホログラム１０と対応させて理解する上での便宜を考慮したものである。また、感光材１３は、通常、透明な基材上に積層されて取り扱われることが多いが、本明細書および図面においては、発明の理解の便宜を図り、感光材（乾板）１３を支持する透明基材を省略している。
【００５７】
まず、ホログラム１０の作製に用いられる光学系（露光装置）２０について説明する。光学系２０は、複数のレーザ光源、より詳細には、ホログラム１０によって高回折効率で回折されるようになる特定波長の光の入射方向の数、言い換えると、ホログラム１０に記録されるべき干渉縞１１ａ，１１ｂの数と同数のレーザ光源を有している。したがって、図１〜７に示すホログラム１０を作製する光学系２０は、図９に示すように、二つのレーザ光源（第１レーザ光源２１ａおよび第２レーザ光源２１ｂ）を含んでいる。
【００５８】
光学系２０に含まれる複数のレーザ光源２１ａ，２１ｂは、互いに同一の波長のレーザ光を発振させるようになっている。具体的には、第１方向ｄ１からホログラム１０の第１面１０ａに入射して第１干渉縞１１ａによって高効率で回折されるようになる上述の光（再生照明光）Ｌ１１（図１参照）の波長と同一、且つ、第２方向ｄ２からホログラム１０の第１面１０ａに入射して第２干渉縞１１ｂによって高効率で回折されるようになる上述の光（再生照明光）Ｌ１３（図１参照）の波長と同一の波長を有したレーザ光が、それぞれ、複数のレーザ光源２１ａ，２１ｂから発生される。
【００５９】
以上のようなレーザ光源２１ａ，２１ｂとして、種々の公知のレーザ光源を用いることができる。例えば、レーザ光源２１ａ，２１として、高出力でレーザ光を発振させることができる、ヘリウム−ネオンレーザー、アルゴンイオンレーザー、クリプトンイオンレーザー、ネオジウムヤグレーザー、半導体レーザー等を用いることができる。
【００６０】
図９に示すように、光学系（露光装置）２０は、各レーザ光源２１ａ，２１ｂから発生されるレーザ光を、それぞれ、異なる入射方向から感光材１３に入射させるように構成されている。光学系（露光装置）２０は、各レーザ光源２１ａ，２１ｂからのレーザ光を反射させてレーザ光の光路を調節するためのミラーＭ、各レーザ光源２１ａ，２１ｂからのレーザ光を広げるためのスペイシャルフィルタＳＦ、および、スペイシャルフィルタＳＦによって広げられたレーザ光を平行光化するレンズＣ等を含んでいる。
【００６１】
なお、感光材１３としては、種々の公知の感光材を用いることができる。例えば、感光材１３として、フォトポリマー、銀塩乳剤、重クロム酸ゼラチン、フォトレジスト等を用いることができる。
【００６２】
次に、このような光学系（露光装置）２０を用いてホログラム１０を作製する方法について、説明する。図９に示すように、光学系（露光装置）２０の第１レーザ光源２１ａから発生された第１レーザ光Ｌ９１は、ミラーＭで反射されることによって、進行方向を変更しながら進む。その後、第１レーザ光Ｌ９１は、スペイシャルフィルタＳＦおよびレンズＣによって感光材１３の所望の領域の全域へ入射し得る程度まで広げられた平行光束として、感光材１３へ入射する。この際、図８および図９に示すように、第１レーザ光Ｌ９１は、上述したホログラム１０の第２面１０ｂを構成するようになる感光材１３の第２面１３ｂの側から、当該感光材１３に入射する。図８に示すように、第２面１３ｂの側から感光材１３へ入射する第１レーザ光Ｌ９１は、参照光Ｌ８１として、感光材１３を第１方向ｄ１に沿って第２面１３ｂの側から露光する。この参照光Ｌ８１は、第１干渉縞１１ａにて高効率で回折されるようになる特定波長を有した再生照明光Ｌ１１と、感光材１３（ホログラム１０）に関して共役な関係となる。
【００６３】
一方、第１面１３ａの側へ感光材１３を透過した第１レーザ光Ｌ９１は、物体照明光Ｌ８２として、模型（物体）７に照射されるようになる。模型７は、ホログラム１０によって再生されるべき像５の形体に基づいて作製された物体である。図８に示す例では、模型７が球として構成されている。
【００６４】
図８に示すように、模型７を照明する物体照明光Ｌ８２をなす第１レーザ光Ｌ９１は、模型７で散乱反射され、感光材１３へ向かうようになる。反射された第１レーザ光Ｌ９１は、上述したホログラム１０の第１面１０ａを構成するようになる感光材１３の第１面１３ａの側から、当該感光材１３に入射する。図８に示すように、第１面１３ａの側から感光材１３へ入射する第１レーザ光Ｌ９１は、模型（物体）の表面形状に対応した情報を有した物体光Ｌ８３として、概ね第３方向ｄ３に沿って第１面１３ａの側から感光材１３を露光する。この物体光Ｌ８３は、特定波長を有する再生照明光Ｌ１１が第１干渉縞１１ａにて高効率で回折されてなる再生光Ｌ１２と、感光材１３（ホログラム１０）に関して共役な関係となる。
【００６５】
以上のようにして、図８に示すように、第１レーザ光源２１ａから発生された第１レーザ光Ｌ９１からなる参照光Ｌ８１および物体光Ｌ８３が、互いに異なる方向から、感光材１３へ入射するようになる。この結果、第１レーザ光Ｌ９１からなる参照光Ｌ８１と、同様に第１レーザ光Ｌ９１からなる物体光Ｌ８３と、の干渉により、第１の干渉縞１１ａが感光材１３の所望の領域に記録されるようになる。なお、ここで記録される第１干渉縞１１ａは、図１から理解され得るように、物体光Ｌ８３の感光材１３への入射方向である第３方向ｄ３と、参照光Ｌ８１の感光材１３への入射方向である第１方向ｄ１と、によってなされる角の二等分線と概ね平行な方向に延びるようになる。
【００６６】
一方、図９に示すように、光学系（露光装置）２０の第２レーザ光源２１ｂから発生された第２レーザ光Ｌ９２も、第１レーザ光源２１ａから発生された第１レーザ光Ｌ９１と同様にして、感光材１３へ入射するようになる。すなわち、第２レーザ光Ｌ９２は、ミラーＭ、スペイシャルフィルタＳＦおよびレンズＣによって感光材１３の所望の領域の全域へ入射し得る程度まで広げられた平行光束として、感光材１３へ入射する。
【００６７】
この際、図８および図９に示すように、第２レーザ光Ｌ９２は、第１レーザ光Ｌ９１と同様に、感光材１３の第２面１３ｂの側から当該感光材１３に入射する。図８に示すように、第２面１３ｂの側から感光材１３へ入射する第２レーザ光Ｌ９２は、参照光Ｌ８４として、感光材１３を第２方向ｄ２に沿って第２面１３ｂの側から露光する。この参照光Ｌ８４は、第２干渉縞１１ｂにて高効率で回折されるようになる特定波長を有した再生照明光Ｌ１２と、感光材１３（ホログラム１０）に関して共役な関係となる。
【００６８】
また、図８に示すように、第１面１３ａの側へ感光材１３を透過した第２レーザ光Ｌ９２は、物体照明光Ｌ８５として、模型（物体）７に照射されるようになる。そして、模型７を照明する物体照明光Ｌ８５をなす第２レーザ光Ｌ９２は、模型７で散乱反射され、感光材１３の第１面１３ａの側から当該感光材１３に入射するようになる。図８に示すように、第１面１３ａの側から感光材１３へ入射する第２レーザ光Ｌ９２は、模型（物体）の表面形状に対応した情報を有した物体光Ｌ８６として、第１レーザ光Ｌ９１からなる物体光Ｌ８３と同様に、概ね第３方向ｄ３に沿って第１面１３ａの側から感光材１３を露光する。第２レーザ光Ｌ９２からなる物体光Ｌ８６は、特定波長を有する再生照明光Ｌ１３が第２干渉縞１１ｂにて高効率で回折されてなる再生光Ｌ１４と、感光材１３（ホログラム１０）に関して共役な関係となる。
【００６９】
以上のようにして、図８に示すように、第２レーザ光源２１ｂから発生された第２レーザ光Ｌ９２からなる参照光Ｌ８４および物体光Ｌ８６が、互いに異なる方向から、感光材１３へ入射するようになる。この結果、第２レーザ光Ｌ９２からなる参照光Ｌ８４と、同様に第２レーザ光Ｌ９２からなる物体光Ｌ８６と、の干渉により、第２の干渉縞１１ｂが感光材１３の所望の領域に記録されるようになる。なお、ここで記録される第２干渉縞１１ｂは、図１から理解され得るように、物体光Ｌ８６の感光材１３への入射方向である第３方向ｄ３と、参照光Ｌ８４の感光材１３への入射方向である第２方向ｄ２と、によってなされる角の二等分線と概ね平行な方向に延びるようになる。
【００７０】
以上のようにして、複数の干渉縞１１ａ，１１ｂを感光材１３に記録することができる。干渉縞の記録工程が終了すると、その後、後処理工程が感光材１３に施され、反射型体積型ホログラムからなるホログラム１０が得られるようになる。なお、後処理の内容は、感光材１３をなす材料によって異なるが、一例として、紫外線照射および加熱処理が、一連の後処理として感光材１３に実施され得る。
【００７１】
ところで、本実施の形態においては、第１レーザ光源２１ａからの第１レーザ光Ｌ９１からなる参照光Ｌ８１および物体光Ｌ８３と、第２レーザ光源２１ｂからの第２レーザ光Ｌ９２からなる参照光Ｌ８４および物体光Ｌ８６と、を感光材１３に同時に入射させている。このように同時露光によって感光材１３に複数の干渉縞１１ａ，１１ｂを形成することにより、ホログラム１０を短時間で形成することができる。また、煩雑な作業を伴う光学系２０の準備を、複数回行う必要がない。さらに、第１レーザ光Ｌ９１および第２レーザ光Ｌ９２の光量を調節するといった簡易な操作により、各干渉縞１１ａ，１１ｂでの回折効率を調節することができる。すなわち、所望の光学特性を有する干渉縞１１ａ，１１ｂが精度良く形成されたホログラム１０を、安価に作製することができる。
【００７２】
またさらに、上述した方法で製造されたホログラム１０は非常に優れた回折効率を呈するようになる。これは、ホログラム１０に不要な干渉縞が記録されていないことに起因している。
【００７３】
図８に示すように感光材１３を三方向から同時に露光した場合、第１方向ｄ１からの入射光（参照光）と第３方向ｄ３からの入射光（物体光）とによる第１干渉縞１１ａおよび第２方向ｄ２からの入射光（参照光）と第３方向ｄ３からの入射光（物体光）とによる第２干渉縞１１ｂだけでなく、第１方向ｄ１からの参照光Ｌ８１と第２方向ｄ２からの参照光Ｌ８４とによるさらなる干渉縞も感光材１３に記録され得る。
【００７４】
しかしながら、本実施の形態においては、上述したように、複数のレーザ光源２１ａ，２１ｂから発生されたレーザ光Ｌ９１，Ｌ９２が、それぞれ参照光Ｌ８１，Ｌ８４および物体光Ｌ８３，Ｌ８６の二つの光として、感光材１３に同時に入射している。そして、異なるレーザ光源から発振されたレーザ光の干渉性は、レーザ光が互いに同一な波長を有していたとしても、極めて低くなる。上述したホログラム１０の製造方法は、このようなレーザ光の干渉に関する特性に基づいて、発明されたものである。
【００７５】
なお、図１０〜図１３には、本件発明者が、同一のレーザ光源２３ｃから発生されたレーザ光Ｌ１１１を分離してなる分離光間での干渉と、異なる二つのレーザ光源２３ａ，２３ｂから発生されたレーザ光Ｌ１０１，Ｌ１０２の間での干渉と、を調査した結果が示されている。図１０に示すように、異なる二つのレーザ光源２３ａ，２３ｂから発振された二つのレーザ光Ｌ１０１，Ｌ１０２を、ハーフミラーＨＭで合成して、その後スペイシャルフィルタＳＦによって広げ、スクリーン２５上に投影した。この場合、図１２に示すように、スクリーン２５上の、スペイシャルフィルタＳＦによる拡散方向に対応する略円形領域に、光２７が投影されており、明暗縞からなる干渉模様は観察されなかった。一方、図１１に示すように、単一のレーザ光源２３ｃから発生されたレーザ光Ｌ１１１を、ビームスプリッタＢＳでいったん分離した後に分離光Ｌ１１１ａ，Ｌ１１１ｂをハーフミラーＨＭで再度合成し、その後スペイシャルフィルタＳＦによって広げ、スクリーン２５上に投影した。この場合、図１３に示すように、スクリーン２５上の、スペイシャルフィルタＳＦによる拡散方向に対応する円形領域内に、光２８が縞状に投影され、明暗縞からなる干渉模様が明瞭に観察された。すなわち、図１０〜図１３に示す実験によっても、異なるレーザ光源２３ａ，２３ｂから発振された同一波長のレーザ光Ｌ１０１，Ｌ１０２の干渉性が著しく低くなることが確認された。なお、図１０〜図１３に示す実験においては、波長が５３２ｎｍのレーザ光を発振する市販されている半導体励起固体（DPSS: Diode pumped Solid State）レーザーをレーザ光源２３ａ，２３ｂ，２３ｃとして用いた。
【００７６】
このようなレーザ光の干渉特性に基づき、複数のレーザ光源２１ａ，２１ｂを用いた同時露光によれば、複数のレーザ光源２１ａ，２１ｂのうちの、同一のレーザ光源から発生されたレーザ光からなる参照光および物体光との間での干渉縞１１ａ，１１ｂのみが、感光材１３に記録されるようになる。すなわち、複数のレーザ光源の各々から発生されたレーザ光が、それぞれ、参照光および物体光として異なる二方向から感光材１３へ入射する場合、感光材１３には、レーザ光源の数と同じ数の干渉縞のみが形成されるようになる。したがって、図８の例において、第１レーザ光Ｌ９１と第２レーザ光Ｌ９２との間での干渉縞は形成されず、結果として、第１レーザ光Ｌ９１の参照光Ｌ８１と第２レーザ光Ｌ９２の参照光Ｌ８４とが干渉してなる干渉縞は感光材１３に記録されない。
【００７７】
以上のような本実施の形態によれば、各々が同一の模型７で反射してなり互いに同一の側から感光材１３へ向かう複数の物体光Ｌ８３，Ｌ８６と、互いに異なる方向に沿って進み同一の側から感光材１３へ向かう複数の参照光Ｌ８１，Ｌ８４と、が感光材１３に入射して、感光材１３に複数の干渉縞１１ａ，１１ｂが記録されている。このようにして得られたホログラム１０によれば、互いに異なる方向ｄ１，ｄ２に沿って進み互いに同一の面の側からホログラム１０に入射する複数の光束Ｌ１１，Ｌ１３の各々によって、同一の像５が再生されるようになる。各光束Ｌ１１，Ｌ１２によって再生される像５は、ホログラム１０の同一の面の側から、ホログラム１０を基準とした同一の位置に、観察されるようになる。従来の体積型ホログラムであれば、特定波長を有した光が特定の一方向からホログラムに入射した際に、ホログラムによって再生される像は、所定の方向のみからしか観察され得ない。したがって、このような従来のホログラムと比較して、本実施の形態によれば、ホログラム１０に記録された所定の像５が格段に観察されやすくなる。したがって、ホログラム１０に期待された機能、例えば、意匠性を向上させる機能や、ホログラム１０を貼付された物品の真正性を標示する機能を、有効に発揮することができる。とりわけ、ホログラム１０による像５の再生方法が複雑であり、この点において、ホログラム１０の偽造が困難であることから、ホログラム１０は真正性を標示する標示体として極めて有効に機能する。
【００７８】
また、本実施の形態によれば、二以上のレーザ光源２１ａ，２１ｂから複数のレーザ光Ｌ９１，Ｌ９２が発生され、各レーザ光Ｌ９１，Ｌ９２が、それぞれ、模型７で反射してなる物体光Ｌ８３，Ｌ８６および当該物体光Ｌ８３，Ｌ８６とは異なる方向に進む参照光Ｌ８１，Ｌ８４として、複数の方向から感光材１３に同時に入射し、これにより、複数の干渉縞１１ａ，１１ｂが作製されている。この結果、干渉縞１１ａ，１１ｂは、二以上のレーザ光源２１ａ，２１ｂのうちの同一のレーザ光源から発生されたレーザ光からなる物体光および参照光が干渉してなる干渉縞のみを、つまり、二以上のレーザ光源２１ａ，２１ｂの数と同数の干渉縞１１ａ，１１ｂのみを、含むようになる。すなわち、例えば互いに異なる方向から入射する二つの参照光Ｌ８１，Ｌ８３間での干渉縞等はホログラム１０に記録されておらず、ホログラム１０に不要な干渉縞が記録されることが防止される。したがって、不要な干渉縞によって入射光が意図しない方向に回折されてしまうことを防止することができる。これにより、ホログラム１０が高い回折効率で入射光を回折し、所定の方向に像５を明るく再生することができる。この点から、ホログラム１０に期待された機能、例えば、意匠性を向上させる機能や、ホログラム１０を貼付された物品の真正性を標示する機能を、さらに有効に発揮することができる。
【００７９】
また、本実施の形態によれば、ホログラム１０の表面への法線方向に対して一方の側（例えば、上方側）に傾斜した第１の入射方向ｄ１から入射する光Ｌ１１によって、並びに、ホログラム１０の表面への法線方向に対して逆の側（例えば、下方側）に傾斜した第２の入射方向ｄ２から入射する光Ｌ１３によって、それぞれ、同一の像５が再生されるようになる。したがって、ホログラム１０の表裏をひっくり返すことなくホログラム１０の上下を反転させた場合でも、同一の像５を、ホログラム１０の反転にともなって上下反転させた状態で、観察することができる。とりわけ、第１の入射方向ｄ１および第２の入射方向ｄ２が、ホログラム１０の表面への法線方向を中心として、回転対称な関係にある場合には、像５が観察されている状態から、観察方向（例えば、観察者とホログラム１０の相対位置関係）および照明方向（例えば、照明９とホログラム１０との相対位置関係）を維持したままで、ホログラム１０をその表面への法線方向を中心として半回転させると、同一の像が、ホログラム１０の回転にともなって上下反転して、観察されるようになる。すなわち、本実施の形態によれば、ホログラム１０の保持状態によらず、ホログラム１０に記録された像５が観察されやすく、ホログラム１０に記録された像５が見落とされてしまうことが抑制される。したがって、ホログラムに期待された機能、例えば、意匠性を向上させる機能や、ホログラム１０を貼付された物品の真正性を標示する機能を、さらに有効に発揮することができる。とりわけ、ホログラム１０が真正性を標示する標示体として用いられる場合には、像５の見落としが防止され、且つ、ホログラム１０をいったん保持（把持）した状態から、像５の有無を確認するために当該ホログラム１０を持ち替える必要がない。したがって、容易且つ正確に真贋を判定することできる。
【００８０】
以上、本発明を図示する一実施の形態に基づいて説明したが、本発明はこれらの実施形態に限定されるものではなく、この他にも種々の態様で実施可能である。以下に、変形の一例を説明する。
【００８１】
（変形例１）
上述した実施の形態において、第１干渉縞１１ａで回折された再生照明光Ｌ１１からなる再生光Ｌ１２の進行方向（再生照明光Ｌ１１の第１干渉縞１１ａでの回折方向）と、第２干渉縞１１ｂで回折された再生照明光Ｌ１３からなる再生光Ｌ１４の進行方向（再生照明光Ｌ１３の第１干渉縞１１ｂでの回折方向）と、が同一となる例を示したが、これに限られず、異なっていてもよい。すなわち、第１干渉縞１１ａで再生される像５が観察され得る方向と、第２干渉縞１１ｂで再生される像５が観察され得る方向と、が異なっていてもよい。
【００８２】
このような変形例においても、複数の方向からの再生照明光のそれぞれによって像５が再生されるようになるため、像５が観察されやすくなる。これにより、上述した実施の形態と同一の作用効果を得ることができる。
【００８３】
なお、この変形例に係るホログラム１は、物体光Ｌ８３，Ｌ８６の感光材１３への入射方向を調節することにより、上述した実施の形態と同様の方法で作製され得る。
【００８４】
（変形例２）
上述した実施の形態において、ホログラム１０をなす反射型の体積型ホログラムが、デニシューク法により作製される例を示したが、これに限られない。例えば、干渉縞を記録する際に、二以上のレーザ光源２１ａ，２１ｂの各々で発生された各レーザ光が、それぞれ、複数の光に分離され、各レーザ光を分離してなる複数の光のうちの一の光が、参照光として感光材１３に入射し、各レーザ光を分離してなる複数の光のうちの他の光が、模型７で反射した後に、物体光として感光材１３へ入射するようにしてもよい。このようなホログラムの作製方法において、各物体光および各参照光の感光材１３への入射方向を調節することにより、上述した実施の形態のホログラム１０を作製することができる。
【００８５】
また、本変形例による製造方法によっても、感光材１３に記録される干渉縞は、二以上のレーザ光源のうちの同一のレーザ光源から発生されたレーザ光を分離して得られた参照光および物体光（物体照明光）が干渉してなる干渉縞のみである。すなわち、作製されたホログラムは、レーザ光源の数と同数の干渉縞のみを有し、不要な干渉縞が記録されないようにすることができる。このため、上述した実施の形態と同一の作用効果を得ることができる。
【００８６】
（変形例３）
上述した実施の形態において、ホログラム１０が、反射型の体積型ホログラムとして構成されている例を示したが、これに限られない。例えば、ホログラム１０が、互いに異なる方向に沿って進み互いに同一の面の側からホログラムに入射する光の各々に対応して記録された複数の干渉縞を含む、透過型の体積ホログラムとして構成されていてもよい。透過型の体積型ホログラムは、例えば、変形例２で説明した製造方法において、参照光と物体光とを感光材１３の同一の面の側から入射させることによって、作製され得る。このような変形例によっても、上述した実施の形態と同一の作用効果を得ることができる。
【００８７】
（変形例４）
上述した実施の形態において、少なくとも二つの方向から入射する特定波長の光の各々によって同一の像を所定の方向に再生し得るホログラム１０を作製する際に、特定波長と同一の波長を有したレーザ光を用いて、感光材１３に干渉縞１１ａ，１１ｂを記録する例を示したが、これに限られない。
【００８８】
特定波長とは異なる波長を有する光であっても、干渉縞１１ａ，１１ｂのブラッグ干渉条件を満たす入射角度でホログラムへ入射すれば、当該干渉縞１１ａ，１１ｂによって高い回折効率で回折されるようになる。この現象における、特定波長とは異なる波長を有した光の入射方向（照明方向）及びその回折方向（再生方向）に沿って、特定波長とは異なる前記波長を有したレーザ光からなる参照光および物体光を、それぞれ、感光材１３に入射させることにより、上述した実施の形態と同一の干渉縞１１ａ，１１ｂを感光材１３に記録することができる。したがって、本変形例によっても、上述した実施の形態と同一の作用効果を得ることができる。
【００８９】
（変形例５）
上述した実施の形態において、ホログラム１０が互いに異なる二つの方向から入射する光Ｌ１１，Ｌ１３の各々によって同一の像５を再生し得るようになっている例を示したが、これに限られない。ホログラム１０が互いに異なる三以上の方向から入射する光の各々によって同一の像を再生し得るようになっていてもよい。このような本変形例によれば、上述した実施の形態と同様の作用効果をより顕著に得ることが期待され得る。
【００９０】
（変形例６）
上述した実施の形態において、ホログラム１０が互いに異なる二つの方向から入射する同一波長の光Ｌ１１，Ｌ１２の各々によって同一の像５を再生するようになっている例を示したが、これに限られない。ホログラム１０が互いに異なる二つの方向から入射する互いに異なる波長を有した光の各々によって同一の像５を再生するようにしてもよい。
【００９１】
本変形例に係るホログラムは、上述した実施の形態において、第１レーザ光源２１ａから発振される第１レーザ光Ｌ９１の波長と、第２レーザ光源２１ｂから発振される第２レーザ光Ｌ９２の波長と、が異なっている場合に、製造され得る。そして、このようにして得られた本変形例に係るホログラムによれば、図２および図６に示された観察状態で観察される像５の色（例えば、赤色）が、図３および図７に示された観察状態で観察される像５の色（例えば、緑色）と、異なるようになる。このような本変形例によれば、上述した実施の形態と同様の作用効果をより顕著に得ることが期待され得る。
【００９２】
また、上述した実施の形態における一つのレーザ光源から発生されたレーザ光の光路に沿って、異なるレーザ光源から発生された二つの異なる波長のレーザ光が合成されて進むようにしてもよい。このような例によれば、当該二つの異なる波長のレーザ光の合成光によって作製された干渉縞によって、単一のレーザ光では表示することができない色で、像を再生することができる。
【００９３】
（変形例７）
上述した実施の形態において、参照光がレンズＣによって平行光化（コリメート）される例を示したが、これに限られず、例えば参照光が拡散光であってもよい。
【００９４】
（変形例８）
以上において上述した実施の形態に対するいくつかの変形例を説明してきたが、複数の変形例を適宜組み合わせて適用することも可能である。
【符号の説明】
【００９５】
５  像
７  模型
１０  ホログラム
１０ａ，１０ｂ  面
１１ａ，１１ｂ  干渉縞
１３  感光材
１３ａ，１３ｂ  面
２１ａ，２１ｂ  レーザ光源
【図１】
2011081209.tif 000003
【図２】
2011081209.tif 000004
【図３】
2011081209.tif 000005
【図４】
2011081209.tif 000006
【図５】
2011081209.tif 000007
【図６】
2011081209.tif 000008
【図７】
2011081209.tif 000009
【図８】
2011081209.tif 000010
【図９】
2011081209.tif 000011
【図１０】
2011081209.tif 000012
【図１１】
2011081209.tif 000013
【図１２】
2011081209.tif 000014
【図１３】
2011081209.tif 000015